(57)【特許請求の範囲】
【請求項１】
急斜面の法面などの斜面に植物を植生して該斜面を緑化する方法であって、植生基盤層又は生育基盤層に、樹皮を破砕してなるチップ長の異なる樹皮チップと霧状にした水を樹皮チップとは別のノズル口より樹皮チップと混合することなく、樹皮チップと同方向に上部から水が覆うようにして同時に散布することにより、チップ長の分布の異なる樹皮チップ層が複数層である保護層を、斜面に形成させることを特徴とする斜面の緑化方法。
【請求項２】
請求項１に記載の斜面の緑化方法であって、チップ長の分布の異なる樹皮チップ層を形成させるための樹皮チップは、チップ長がそれぞれ０．１センチメートル乃至１５センチメートルの粗粉砕物と０．１センチメートル未満の細粉よりなることを特徴とする斜面の緑化方法。
【請求項３】
請求項１又は請求項２に記載の斜面の緑化方法であって、急斜面の法面などの斜面に植生する植物の苗が、在来木本類又は在来草本類の種子を無機質土壌に実生より発芽させ無肥料で育苗管理し、本葉が出た時点で径３乃至８センチメートル、長さ１０乃至３０センチメートルの第１の円筒状ポット又は矩形筒状ポットに移植し、さらに無肥料で育苗し、第１のポット底面の穴より根が伸張した時点で第１のポットに適合する大きさと形状の生分解性の素材よりなる第２のポットに重ね入れ、光や外気にさらさないようにして第１のポットを除去して作製した生分解性の素材よりなるポット苗であり、植生基盤層に植栽するまで無肥料で育苗管理したものであることを特徴とする斜面の緑化方法。
【発明の詳細な説明】
【技術分野】
【０００１】
本発明は、斜面に植物を植生させることにより斜面を安定させる緑化方法に関する。
【背景技術】
【０００２】
これまで法面等の斜面の緑化方法として、外来牧草の種子や肥料、土壌改良剤などを混合した植生基盤材を吹き付けし、斜面上に有機客土基盤を形成させる方法が盛んに行われている。この方法では斜面の勾配が急な場合は、基盤のずれを防止するために金網やネットを敷設し、吹き付け機によってその上に高圧で植生基盤層を作成する必要のあること、また、植生しやすい外来木本や草本、在来木本や草本などの種子を用いているため作業前等の自然林にはほど遠いなどの問題点があった。そこで、コスト低減のために、急傾斜や地盤の弱い斜面でも確実に植物を植生する方法として特許文献１には防護部材と木チップ等を混ぜた緑化部材による方法が開示されている。この方法では、種子等が保持され活着率はよくなりトータルコストは削減されるが、基盤層形成時のコスト削減にはつながりにくい。また、自然環境をできるだけ再現する方法として、特許文献２に開発等によって発生する根株、樹皮、間伐材と浄水ケーキや赤玉土等の篩い下をベースに肥料成分や森林で採取される埋土種子を含む表層土などを混入させた植物生育基盤を造成する方法が示されている。この方法では、埋土種子にクズ等のマント群落を形成するツル性植物を含むため表土採集の場所等が限定される問題点を有する。さらに、特許文献３には、緑化基材には基盤層に均一に補強材として作用する短尺のチップと現地発生土とを含んだ緑化基材を法面に吹き付けること、及び現地発生土の水分率を調整することを加えて緑化する方法が示されているが、この方法は、循環型社会形成の一助となってはいるものの従来の植生を生かした方法とはなっていない。
【特許文献１】特開２０００−２１２９６４公報
【特許文献２】特開２００５−１８８１９２公報
【特許文献３】特開２００４−１４３７０３公報
【非特許文献２】「スギ樹皮の利用について −耐蟻性試験結果から−」，                      徳島県立農林水産総合技術センター  森林林業研究所，                      平成１５年５月
【発明の開示】
【発明が解決しようとする課題】
【０００３】
本発明は上述したような問題点に鑑みて提案されたものであり、急斜面の法面などの斜面でも簡単に植物の植生ができ、改変された作業前の斜面に復元できる、実用性に優れた斜面の緑化方法を提供しようとするものである。
【課題を解決するための手段】
【０００４】
第１の発明は、急斜面の法面などの斜面に植物を植生して該斜面を緑化する方法であって、樹皮を破砕してなるチップ長の分布の異なる樹皮チップと霧状にした水を樹皮チップとは別のノズル口より樹皮チップと混合することなく、樹皮チップの流れと同方向にかつ上部から樹皮チップ流に覆い被さるようにして同時に散布することにより、交互に大きさの荒い層と細かな層の分布の異なる樹皮チップ層よりなる複数の層を斜面に形成させ、植物の苗を植え付け育成させる植生基盤層や本来の地盤（地山）である生育基盤層を保護する層（以下、樹皮チップ保護層という。）となり、植物を植生せしめる緑化部材であることを特徴とする斜面の緑化方法である。より具体的には、木本類の樹皮を粉砕機で粉砕し、１５センチメートル以下のものとした後、空気搬送機とダクトホースなどで散布場所まで搬送し、同時に毎分１乃至１０リットルの霧状の水とともに所要の面積を確保するようにノズル等を移動しながら散布することにより、樹皮チップの重力差を利用して異なる粒度分布を有する樹皮チップ層を複数層形成させた緑化部材を提供するものである。同時に散布する霧状の水は、接合材としての役目を持つ樹皮チップの細粉が粗粉砕物の層に堆積する速度を調節する役割を果たし、また、水分の存在により施工直後の樹皮チップ保護層の固着具合が緑化する場所について適度な状態となるので、降雨水、風による流失及び飛散を少なくすることができる。
【０００５】
第２の発明は、第１の発明において、大きさの分布の異なる樹皮チップ層を形成させるための樹皮チップのチップ長がそれぞれ０．１センチメートル乃至１５センチメートルの粗粉砕物と０．１センチメートル未満の細粉よりなることを特徴とする斜面の緑化方法である。
【０００６】
さらに、樹皮チップがスギ、又はヒノキの樹皮を原材料としたものである場合は、スギやヒノキが有する素材の柔らかさにより圧力をかけた空気搬送機などによる散布時に植栽した植物の苗をいためることがより少ない利点がある。また、スギやヒノキには、生理活性の高い物質（ベンゼン、メタノール可溶物）が含まれ、樹皮チップ保護層内に昆虫の幼虫が入りにくく、また動物の堀上などの被害を少なくする効果が得られる。
【０００７】
第３の発明は、斜面に植生する植物の苗が、在来草本又は木本類（以下、植物という）の種子を自然条件下で発芽させ、本葉が出た時点で径３乃至８センチメートル、長さ１０乃至３０センチメートルの円筒状又は矩形筒状の第１のポットに移植し、さらに無肥料で育苗し、第１のポット底面の穴より根が伸張した時点で第１のポットに適合する大きさと形状の生分解性の素材よりなる第２のポットに重ね入れ、根系が光や外気にさらさないようにして第１のポットを除去して作製した生分解性の素材よりなるポット苗を用いることを特徴とする斜面の緑化方法である。これにより、その地域の植生にあった植物を選ぶことができ、植物の苗の主根が植生基盤層よりもさらに地面下に伸びやすく生育基盤層まで広がること、また支持根が筒状のポットに抑制されていた状態から開放されることにより面方向に広がりやすくなることにより斜面の安定化を図ることが可能となる。また、最終的に生分解性ポットに移植するため環境にもやさしいものとすることができる
【０００８】
詳しくは、斜面に植生する育苗した植物の苗が、在来木本又は草本類の種子を無機質土壌に実生より発芽させ無肥料で育苗管理し、本葉が出た時点で径３乃至８センチメートル、長さ１０乃至３０センチメートルの第１の円筒状ポット又は矩形筒状ポットに移植し、さらに無肥料で育苗し、第１のポット底面の穴より根が伸張した時点で第１のポットに適合する大きさと形状の生分解性の素材よりなる第２のポットに重ね入れ、光や外気にさらさないようにして第１のポットを除去して作製した生分解性の素材よりなるポット苗であり、それを植生基盤層に植栽するまで無肥料で育苗管理したものであることを特徴とする斜面の緑化方法である。なお、斜面と平板状防護部材の成す角度が法肩方向から６０度乃至９０度を有するように、かつ平板状防護部材の長手方向が斜面の水平方向に対して勾配を１５度より小さい角度を有するように平板状防護部材を設置すること、さらに客土を設置する平板状防護部材の天端から該斜面に向かって水平面に対し上部に向かって１：５未満の勾配で敷き均すように平板状防護部材を設けることができる。これにより、降雨水の流れを円滑にし、斜面の侵食を防止するための効果が得られる。
【発明の効果】
【０００９】
本発明によれば、植生する植物は在来種を用い、荒地でも生育しやすい先駆性種と将来森林を構成する主構成木を混合した植生をすることで、植物間の競争を活発化させ自然界の治癒力を手助けし、早期の植生復元がなされる。それにより樹木によるＣＯ２の吸収固定がなされ地球温暖化の防止にも役立ち、樹林化された斜面は草地と比べ、維持管理費の軽減が図れる効果がある。林業の製材過程で発生するスギ又はヒノキの樹皮を産業廃棄物処理するのではなく、破砕機で粉砕したリサイクル材を斜面に適度の厚さを確保して樹皮チップ保護層に使用することで、斜面の浸食防止、保温による凍上防止、保水による土中微生物の増加を図ることができ、生態系ピラミッドの底辺よりの植物連鎖が出来上がり生態系の回復がなされると同時に植物の生長により、樹林化への遷移が早くなることで、水源涵養、土砂流失防止、防風風致、魚付き林など多くの機能を有する森林ができ、保安効果等が発揮される。なお、細粉砕された樹皮チップは霧状の水で粗粉砕樹皮チップに付着し、粗粉砕樹皮チップ同志を接合する効果があるため、接合材を使用しなくても降雨水による流亡、風による飛散が少ないという効果も得られる。
【発明を実施するための最良の形態】
【００１０】
従来の緑化方法では、外来牧草の種子や肥料、土壌改良剤、細かく破砕したウッドチップに接着剤を混合したものを用いて斜面に植生する方法が一般的であり、外来草本種子を使用するため、木本類の発芽が阻害され、うまく発芽しても単一種になり易く作業前の多種多様な植生の斜面には戻りにくい。
【００１１】
本緑化方法は、造成作業前の斜面の植生にできるだけ近づけることを主眼に、周辺に植生されている在来木本、草本類の植生を調査し、その結果に基づいて植物を調達する。斜面の状況に応じて当該技術を組み合わせて用いることができるが、急斜面に於いては平板状防護部材の設置と客土等を敷設した植生基盤層を設けることができ、続いて、在来木本類の樹皮を粉砕しチップ化し、それを斜面の条件に適正な厚さとなるように霧状の水とともに散布し、複数層の樹皮チップ層よりなる樹皮チップ保護層を形成させる。このとき植物を植付ける工程の順序は、樹皮チップ保護層を施工した後でもその前でも良い。なお、特に緩やかな斜面に於いては平板状防護部材を設けなくてもよい。
【００１２】
この緑化方法は、自然界の落葉層と実生苗の関係並びに形態を元にした考え方である。木本類の樹皮を原材料とした粗粉砕物と細粉砕物よりなる樹皮チップ保護層は、大きさの分布の異なる樹皮チップを緑化する作業範囲に搬送機器（空気圧縮機、空気搬送機、ダクトホースなど）を用いて混合しながら搬送し、霧状にした水を樹皮チップ流と同方向に上部からチップを水が覆うようにして同時に散布することにより、落葉がふり積るように３から５層の所定範囲内にダクトホースの先端を移動しながら積設させることで形成される。必要な樹皮チップ保護層の層厚は、作業範囲に層圧の目安となる目盛りを付したチェック板を必要数設置し、それを目標としてその高さになるように斜面に均一に降り積もらせて形成させることにより多孔質な樹皮チップ保護層として得られる。
【００１３】
形成された斜面上の樹皮チップ保護層は、０．１〜１５センチメートルのチップ長を持つ粗粉砕物の層で多孔質な構造となっており、降雨水が樹皮チップ保護層内を分散して緩やかに流れるので降雨水の水流を制御し斜面の浸食を防止するとともに、毛管現象が抑制されることにより植生基盤層や生育基盤層の保水力を高め土中微生物の増加による活性化が向上し、植物の生長を促す効果が得られる。なお、樹皮チップ保護層の表面は気象条件にもよるが時間の経過により乾燥するため、飛来種子は水分の補給がたたれ発芽しにくくなり、植栽後しばらくの間、防草効果が発揮できる。緑化作業領域全面に形成された樹皮チップ保護層は保温効果に優れているため凍上防止効果をも有し、寒冷地における多くの地域の斜面にも施工が適用できる。また、本原材料の一形態であるスギ、ヒノキは腐朽しにくくさらに、植物の生育阻害作用を持たず、樹皮性分は抽出物に富み生理活性が高く、昆虫のすみ家とならないことが知られており(非特許文献１参照)、他の広葉樹から作るウッドチップを散布した場合に比べ動物による被害がほとんどないので本工法においてはさらに好ましい原材料である。
【００１４】
本緑化方法に使用する植物の苗は、在来木本、草本類の種子を採集し、無機質土壌に実生より発芽させ、無肥料で育苗管理し、自然の気象条件と同様に灌水管理や肥培管理をしないで育てる。その様な過酷な環境で育苗管理された植物の苗の根系は、やせ地においてもストレスを起こさず早期に生育基盤層深く侵入し、杭の役目をすることで深層より斜面の安定を図る役割をする。さらに浅根性の植物の苗の根系は、生育基盤層の土中上部にネット状に張りめぐる。植生する植物としてこれらの植物を種々組み合わせることにより根の緊縛で地下部は三次元的に斜面を安定させる。
【００１５】
本緑化方法に使用する植物の苗については、周辺の在来木本、草本より選定し、シイ、タブ、カシ、コナラ等森林を形成する主構成木やモチノキ、ソヨゴ等の鳥や小動物を呼び寄せる食餌木、コマツナギ、アカメガシワ、ヤブムラサキ等の荒地に最初に生育し、主構成木が生長するための土壌づくりをする先駆性木などがあり、これらより適宜周辺の植生環境を勘案して選択し、混交して植生する。
【００１６】
本緑化工法に使用する苗の形状は、ポットの形状に依存し、根部が、径３センチメートル乃至１５センチメートル、長さ１０センチメートル乃至３０センチメートル未満の大きさが植生を行う上で取り扱い等好ましいものである。また、植生する植物の苗の高さは３０センチメートル以内が作業上好ましい。上記の形状より大きい場合は植生時に大きな植穴や植物に支柱が必要など作業上の負担が大きくなり、一方、小さい場合は根系の発育不足により植生時の活着が困難となる恐れがある。
【００１７】
本緑化方法におけるポットで育苗した苗は、在来木本類の種子を無機質土壌に実生より発芽させ無肥料で育苗管理し、本葉が出た時点で径３乃至８センチメートル、長さ１０乃至３０センチメートルの円筒状又は矩形筒状の第１のポットに移植し、さらに無肥料で育苗し、第１のポット底面の穴より根が伸張した時点で第１のポットに適合する大きさと形状の生分解性の素材よりなる第２のポットに重ね入れ、根系が光や外気にさらさないようにして第１のポットを除去して作製した生分解性の素材よりなるポット苗であり、植生基盤層に植栽するまで無肥料で育苗管理したものであるポット苗を用いることが重要である。苗は、その後、主根、支持根を有したまま、植え付けするまで生分解性の素材よりなるポットで育苗管理する。
【００１８】
従来、植生に使用されている在来木本類の苗（以下、ポット苗という）は、挿木や実生、とり木等の方法で発芽、発根させたものであり、植生時の活着率や成長を高めるため主根や支持根を切断し、吸収根という根の数を多くすることが一般に行われている。さらにポット苗は早期に樹高や葉張を大きくすることを目的とするための肥培管理を行い、根系はルーピングというポット内に根が廻った状態となっており、根系が多いため土壌基盤を改良した場所に植栽すれば活着率は高い効果がある。しかしながら急斜面の法面など土壌が肥沃でない場所に於いては、根系と樹高のバランスがとれていないポット苗は肥培管理をしないと根系がストレスを起こして生長が止まることがあり、さらにはポット苗の根系は主根、支持根を有さないため生育基盤層の土中深くに侵入できず、将来倒木の恐れがあり法面の安定には不向きな苗となる。
【００１９】
客土を敷設するための平板状防護部材は、傾斜の大きい法面等の斜面に好ましく用いられ、斜面と平板状防護部材の成す角度が法肩方向から６０度乃至９０度を有するように、かつ平板状防護部材の長手方向が斜面の水平方向に対して勾配を１５度より小さい角度を有するように平板状防護部材を設置する。このことにより客土流出防止性が高まり、また角度を設けて設置することにより降雨水の流れを円滑にし、植生した斜面の侵食をより少なくする効果が得られる。さらに客土についても設置する平板状防護部材の天端から該斜面に向かって水平面に対し上部に向かって１：５未満の勾配で敷き均すことで、周辺地域より移動してきた木本類や草本類の種子を留保しやすくなり従来の植生に近い斜面に復元されることになる。
以下図面を用いて、本緑化方法の実施の形態について説明する。
【実施例１】
【００２０】
図１は斜面が急勾配の場合の方法について示したものである。平板状防護部材１をアンカー２で固定し、客土３を入れて植生基盤層４とした。スギ又はヒノキの樹皮を破砕した大きさの分布の異なる樹皮チップ５と霧状にした水６を樹皮チップ５の流れと同方向にかつ上部から樹皮チップ５に覆い被さるようにして同時に散布することで交互に大きさの荒い層と細かな層に分布の異なる樹皮チップ保護層７を生育基盤層上に形成させた。また、緩やかな斜面を想定し、生育基盤層８に直接植物を植生することで平板状防護部材１を設けない場合も同様に実施した。
【００２１】
斜面に植生する植物の苗はヤマザクラ等、１５０種の種子を自然条件下で発芽させ本葉が出た時点で図２のように径６．５センチメートル、長さ１５センチメートルの樹脂製ポット１０−１に無機質土壌を用いて移植し育苗管理し、ポット底面の穴より根が伸長した時点で予め準備した樹脂製ポットよりわずかに大きい生分解性の材質であるポット１０−２に当該ポットを重ね入れ、根系が光や外気にさらされないようにしながら樹脂製ポット１０−１を取り除き生分解性の材質であるポット入り苗９を作成した。斜面に植生する生分解性の材質であるポット入り苗９は、播種後２乃至３年間、無肥料で育苗管理し主根が太く真っ直ぐに伸び、支持根が固まりにならず自然な状態に広がっているものを選び使用した。これらの苗は、植生基盤層４又は生育基盤層８に直接ポットごと植生し、簡易に作業することができた。その後の管理は、苗の生育状況と外観を確認する程度であった。
【００２２】
樹皮チップ保護層は、スギ樹皮を破砕して０．１センチメートル未満の細粉を重量比で５％含む粗粉砕物と細粉の混合物を作製し、毎分１９立米の能力を有する空気圧縮機と吸入径５インチの空気搬送機と６インチのダクトホースを一組の装置として樹皮粉砕物を供給し散布場所まで搬送し、斜面勾配１：１．０の切土斜面に散布した。樹皮チップの散布に当たっては、スギ樹皮チップ５の流れと同方向にかつ上部からスギ樹皮チップ５に覆い被さるようにして、毎分２リットルの霧状にした水６を噴霧し、植生の行う範囲の面積を確保するよう樹皮チップのダクトホース先端と水噴霧のホース先端を移動しながら３回繰り返し散布することによってスギ樹皮チップ５の重力差で異なる粒度分布をもった６層のスギ樹皮チップよりなる保護層を施工規格値５センチメートルに対して散布厚４センチメートル〜７センチメートルの範囲で造ることができた（図３に示す）。このように形成させた樹皮チップ保護層は１０センチメートルの厚さとしても植物の生育には問題なかった。樹皮チップ保護層の厚さ管理に用いるチェック板は２０平米に１ケ所設置する事で均一な厚さを確保できた。
【００２３】
植生後５ケ月経過した時点で植生した生分解性である材質のポット入り苗９について根系の根張り試験を行い、ばね計りで５キログラムの荷重をかけ苗を引っ張った結果、５０検体中８４パーセントに於いて抜けは認められなかった。なお、比較として行ったポット苗は全部抜けた。主根や支持根を有している生分解性である材質のポット入り苗９は、植生基盤層４、生育基盤層８内に深く根を侵入させている事がわかった。自然界の実生苗と同じ根系を有している事が確認された。
【実施例２】
【００２４】
ヒノキ樹皮１０パーセントとスギ樹皮９０パーセントを混合したものを実施例１と同様にして、破砕、搬送、散布した結果、先に粗粉砕樹皮チップ１１が落下し、細粉の樹皮チップ１２に霧状にした水６が付着して細粉の樹皮チップ１２が接着し、粗粉砕樹皮チップ１１上に落下することで、図３に示したように６層に形成された樹皮チップ保護層７は施工後の風雨にも飛散、流亡することはなかった。また、ヒノキ樹皮単身、スギ樹皮単身、スギ樹皮単身の破砕物を粗粉砕物と細粉に区分しないままのものを使用しても作業後の風雨にも飛散、流亡することはなく、根張り試験の結果も、８４％以上と良好であった。
【実施例３】
【００２５】
スギまたはヒノキの樹皮チップ５についてふるい分け試験した結果、破砕された樹皮チップの粒度分布はチップ長が０．１センチメートル未満の細粉が重量比で７パーセント〜１パーセントで残りは０．１センチメートル以上、１５センチメートル未満の粗粉砕物であった。この範囲では施工後の風雨にも飛散、流亡することはなく、根張り試験の結果も、８４％以上であった。
【実施例４】
【００２６】
斜面に生分解性の材質であるポット入り苗９を植生した後、スギ、ヒノキの樹皮をそれぞれ実施例１と同様にして、破砕、搬送、散布した結果、スギ樹皮又はヒノキ樹皮が有する素材の柔らかさにより、植生した後に樹皮チップ散布による植生した植物の苗への傷みは無く、樹皮チップを散布した後、苗を植生した場合と同様の効果が得られた。また、梅雨時など降雨による斜面の浸食や冬期の凍上が予想される場所、地域に於いても効果に違いはなかった。なお、木本類の木質部を原材料とした従来工法（ウッドチップ散布工法）ではチップ散布時に植生した苗の葉や幹を損傷による活着率の低下があり、チップを散布した後、苗を植生した場合との間に差が認められた。
【実施例５】
【００２７】
実施例１と同様に作業を行い、スギ樹皮チップ保護層の厚さを５センチメートルとした地域では、冬期の外気温が氷点下１０度を記録した場合でも凍上による被害は無かった。
【実施例６】
【００２８】
法面勾配が１：０．８及び１：１．５の斜面に於いて、平板状防護部材１長さ２メートル、高さ１７センチメートル、部材の厚さ３センチメートルを斜面と平板状防護部材１の成す角度が法肩方向から６０度乃至９０度を有するように、かつ平板状防護部材１の長手方向が斜面の水平方向に対して勾配を１０度の角度で設置した後、実施例１と同様に作業した。これにより植生した斜面に降った雨水が植生した地域内を分散して流れ、かつ多孔質の樹皮チップ保護層内を浸透するように流れていくため、斜面や植生した範囲の破損、浸食防止ができた。さらに客土を設置した平板状防護部材１の天端から該斜面に向かって１：５の勾配に敷き均したことにより、樹皮チップ保護層の分解が始まった２年後を観察したところ、樹皮チップが徐々に分解されて土壌化が進行し、防草効果が薄れることにより斜面に発芽しやすい環境ができ、周辺地域より飛来してきた在来木本、草本類の種子が留まり発芽した様子が観察された。徐々に植生の遷移が始まり、自然な生態系への回復の兆しが確認された。
【図面の簡単な説明】
【００２９】
【図１】本実施例の断面図である。
【図２】本実施例のポット苗の説明図である。
【図３】樹皮チップ保護層の構成を表す断面図である。
【符号の説明】
【００３０】
１  平板防護部材
２  アンカー
３  客土
４  植生基盤層
５  樹皮チップ
６  霧状にした水
７  樹皮チップ保護層
８  生育基盤層
９  生分解性の材質であるポット入り苗
１０−１  樹脂製ポット
１０−２  生分解性の材質であるポット
１１  粗粉砕樹皮チップ
１２  細粉砕樹皮チップ
【要約】
【課題】急斜面の法面などの斜面でも簡単に植物を植生でき、自然の植生を短期間で復元する方法を提供する。
【解決手段】実生より無肥料で発芽育苗し、主根、支持根を有する植物を植生すること、その上に粗粉砕物と細粉に破砕した樹皮を斜面上に多孔質になるよう均一に散布して樹皮チップ保護層を形成し、法面の安定と植物の生長を図ることで早期に自然の植生を回復させる。
【選択図】図１【図１】
0004281098.tif 000002
【図２】
0004281098.tif 000003
【図３】
0004281098.tif 000004